(57)【要約】      （修正有）【課題】  確実に包装体を開封することができ、その開封時に被包装物が破損したり、砕けたりすることのない開封機能付き包装体を提供すること。【解決手段】  被包装物の周囲を包装フィルム１２で囲繞するとともに、その包装フィルムの所定部位を熱シールして袋状に形成される。熱シールされたエンドシール部１４の近傍の外側に未シール部１５を設け、その未シール部１５に複数の切り込み線１６を形成する。この、切り込み線１６はエンドシール部１４に非接触状態に設定し、その複数の切り込み線１６で挟まれた領域が摘み部１７となる。エンドシール部１４は、少なくとも切り込み線１６の延長線に挟まれる領域より大きな範囲にパートコート１８処理が施されるとともに、摘み部１７の奥側に位置するエンドシール部１４の開封開始部位Ｐが外側に向けて尖った形状とした。【選択図】        図３
2007106488.tif 000002
【特許請求の範囲】
【請求項１】
被包装物の周囲を包装フィルムで囲繞するとともに、その包装フィルムの所定部位を熱シールして袋状に形成される包装体であって、
その包装体の前記熱シールされた部位の近傍の外側に未シール部を設け、
その未シール部に複数の切り込みを形成するとともに、前記切り込みは前記熱シールされた部位に非接触状態に設定し、その複数の切り込みで挟まれた領域が摘み部となり、
前記熱シールされた部位のうち、少なくとも前記切り込みの延長線に挟まれる領域にパートコート処理が施され、
前記摘み部の奥側に位置する熱シール部の開封開始部位が外側に向けて尖った形状としたことを特徴とした開封機能付き包装体。
【請求項２】
前記切り込みの包装体の周縁側の端部は、その周縁よりも内側に形成され、前記未シール部におけるその周縁は連続してつながっていることを特徴とする請求項１に記載の開封機能付き包装体。
【発明の詳細な説明】
【技術分野】
【０００１】
本発明は、開封機能付き包装体に関するものである。
【背景技術】
【０００２】
良く知られているように、ピロー包装体は、以下に示すような手順で形成される。すなわち、連続的に引き出される帯状フィルムを製袋器で筒状に製袋されて帯状フィルムの両側縁が重合され、その重合端をセンターシール装置でシールし、筒状フィルムが形成される。一方、製袋器内には一定の間隔で順次被包装物が供給されるので、筒状フィルム内にも被包装物が所定間隔で内包され、その状態のまま筒状フィルムと被包装物が搬送されることになる。さらに、センターシール装置の下流側にはトップシール装置が設置され、筒状フィルムの所定位置を進行方向横方向にシールするとともにカットすることにより、被包装物を密封したピロー包装体を製造するようになっている。
【０００３】
従って、ピロー包装体は、図１に示す（裏側から見ている）ように、筒状に形成された１枚の包装フィルム１の適宜位置をシールすることにより形成され、具体的には、軸方向に延びるセンターシール部２と、軸方向の両端開口部を閉塞するトップシール部（エンドシール部とも称する）４とを有している。そして、開封の容易性を考え、トップシール部４にＶノッチなどの切込部５を設けたものもある。また、特に切込部５を設けずに、トップシール部４の縁を鋸歯状（ギザギザ）にしたものもある。
【０００４】
係る包装体を開封するには、トップシール部４の切込部５（或いはギザギザの部分）を挟んでそのトップシール部５の両側を把持するとともに、切り裂くようにする。すると、包装フィルム１は、切込部５を境に切り離され、これにより開封され、被包装物を取り出し可能となる。
【０００５】
上述した従来から一般に製造されているピロー包装体の場合には、いずれの場合も筒状に形成された包装フィルム１の縁部付近をその側縁に沿って切り裂くことになるので、図２に示すように、切込部５より外側の周縁部１ａは、Ｕ字状に折れ曲がった状態のまま切り離されていく。
【０００６】
その結果、被包装物６がたとえばポテトチップスやうす型のビスケット・せんべいなどの脆弱・破損しやすい物品であり、しかも、係る被包装物６が包装フィルム１の縁部のＵ字状に折れ曲がった周縁部１ａに存在している状態のまま切り裂くと、被包装物６も係る折れ曲がったフィルムに両側から挟まれた状態で切り裂かれるので、被包装物が破損するおそれがある。そして、破損したり砕けた際に発生する屑が周囲に飛散するおそれもある。もちろん、上記した例ではピロー包装体を例にして説明したが、他の包装形態においても同様の問題はある。
【０００７】
また、包装体の開封に関する先行技術として、特許文献１に示すように、内容物を破損しないように開封するための技術が提示されている。この開示され内容では、ノッチと呼ばれるフィルムへの切り込みによって、開封のきっかけとしているものであるが、前記ノッチを熱融着部の一部に食い込ませるように処理を施すことが開示されている。これにより、上述した内容物の破損の問題が解消される。
【特許文献１】特開平１０−２３０９７１号公報
【発明の開示】
【発明が解決しようとする課題】
【０００８】
しかし、上述した特許文献１に開示された技術では、以下に示す問題を生じる。すなわち、熱融着部に食い込ませるように処理を施しているため、この熱融着部の目的である内容物の密封に悪影響を及ぼすこととなる。つまり、熱融着部の領域を自ら傷をつける処理を施し、本来なら確実に密封されている状態を保持すべき包装上の重要な部分に自ら傷を付ける処理を施しているためである。これにより、包装体の本来の目的である密封については、その包装体を開封する者が熱融着部に傷があると見る視覚的不安、並びに、包装体搬送中における外力における不慮の開封の蓋然性などにより密封不良を生じるおそれがあると考えられる。
【０００９】
本発明は、上記した背景に鑑みてなされたもので、その目的とするところは、上述した問題を解決し、未開封時は密封状態にするとともに、確実に包装体を開封することができ、その開封時に被包装物が破損したり、砕けたりすることがない開封機能付き包装体を提供することにある。
【課題を解決するための手段】
【００１０】
上記した目的を達成するために、本発明に係る開封機能付き包装体は、被包装物の周囲を包装フィルムで囲繞するとともに、その包装フィルムの所定部位を熱シールして袋状に形成される包装体であって、その包装体の前記熱シールされた部位（実施の形態では、「エンドシール部」に対応）の近傍の外側に未シール部を設け、その未シール部に複数の切り込み（実施の形態では、「切り込み線」に対応）を形成するとともに、前記切り込みは前記熱シールされた部位に非接触状態に設定し、その複数の切り込みで挟まれた領域が摘み部となり、前記熱シールされた部位のうち、少なくとも前記切り込みの延長線に挟まれる領域にパートコート処理が施され、前記摘み部の奥側に位置する熱シール部の開封開始部位が外側に向けて尖った形状とした。
【００１１】
摘み部が開封位置となり、その摘み部を持つと共に、包装体から引き剥がす方向に引っ張ることで、複数の切り込みが切断されて包装体が開封される。従って、従来あるような小さな（１つの）切込みではなく、開封位置が比較的大きくなり、開封する者が容易に開封位置を確認できる。
【００１２】
また、熱シール部には切り込みを形成することがないので、内容物の密封は確保されつつ、引き裂きを行う場合に、パートコートによる易剥離効果に加え、熱シール部に形成された尖った部分から徐々に開封されるので、熱シール部の開封（フィルムの引き剥がし）初期には、小さい面積に開封しようとする力が集中するため、従来のものと比較して小さな力で簡単に包装体の開封を行うことができる。さらに、包装フィルムの開封は、摘み部に連続して帯状にフィルムが切断されるため、内容物を破壊しないで開封することができる。
【００１３】
そして、好ましくは前記切り込みの包装体の周縁側の端部は、その周縁よりも内側に形成され、前記未シール部におけるその周縁は連続してつながっているようにすることである。
【００１４】
このように構成すると、運搬その他の通常時は、未シール部の周縁が連続しているため、摘み部の外周縁側がフリーになることはなく、摘み部が不用意に引っかかって引っ張られることにより包装体が開封されることがより確実に抑制される。そして、開封時には、意図的に摘み部を引っ張る等して切り込みの端部と未シール部の周縁をつなぐ短いフィルム部位を切断することで、摘み部がフリー状態となるため、上述した作用により簡単に包装体を開封することができる。
【発明の効果】
【００１５】
本発明では、未開封時は密封状態にするとともに、確実に包装体を開封することができ、その開封時に被包装物が破損したり、砕けたりすることがなくなる。
【発明を実施するための最良の形態】
【００１６】
図３から図５は、本発明の第１の実施の形態を示している。図３に示すように、ピロー包装された包装体１０（内部に図示省略の被包装物が収納されている）は、筒状に成形された包装フィルム１２の両側縁部同士を重合するとともに熱シールして形成されるセンターシール部１３と、開口側両端を熱シールして形成されるエンドシール部１４とにより閉塞されるようになっている。
【００１７】
ここで本発明では、一方のエンドシール部１４の先端側中央部位に未シール部１５を設けた。これにより、この未シール部１５の部分では、包装フィルム１２は熱シールされていないため２枚に分離されたフリー状態となる。未シール部１５とエンドシール部１４奥側の境界線Ｌ１は、Ｖ字状に形成している。換言すると、エンドシール部１４側からみた場合には、中央Ｐが包装体１０の周縁側に向けて突出する山型（三角形）としている。なお、本発明では、必ずしもＶ字状にすることはなく、突起状に尖っていれば各種の形態をとることができる。
【００１８】
また、上述したように、未シール部１５の部分では、２枚のフィルム部位が分離された状態で存在しているが、本実施の形態では、そのうちの１枚（センターシール部１３が形成されていない側）に、２本の平行な切り込み線１６を設けた。この２本の切り込み線１６は、包装体１０の周縁から奥側に向かって延びるように形成される。そして、切り込み線１６の奥側の先端は、エンドシール部１４との境界線Ｌ１には至らないで、その手前の所定位置まで形成されている。未シール部１５のうち、この２本の切り込み線１６に挟まれた領域が開封時の摘み部１７となる。
【００１９】
さらに、エンドシール部１４の中央の所定位置には、易剥離材であるパートコート１８が形成されている。このパートコート１８は、接着力が弱く、容易に開封するためのイージーオープン構造にするために用いられる。このパートコートについては、例えば、特開昭６２−２８３４７号公報や、特開昭５７−１０４５６０号公報等に開示されている。そして、このパートコート１８は、包装フィルム１２の対向する内面同士に塗布形成され、互いに接触させると共に、加熱・加圧して熱シールすることで、接着させる。これにより、通常時は確実にシール状態が保持され、包装体の密封性能は維持される。そして、開封時は、パートコート１８部分は、通常の包装フィルム同士の熱シールによる接着力よりは弱いので、通常の包装フィルムのエンドシール部１４を引きはがす際に要する力よりも小さい力でパートコート１８部分を引き離して、開封することができる。
【００２０】
このパートコート１８の幅Ｗは、２本の切り込み線１６の間隔ｔよりも長くすると共に、２本の切り込み線１６の先端が、パートコート１８にかかるようにしている。なお、この切り込み線１６の先端により、パートコート１８の一方の側縁が一部切り込まれるが、この切り込まれたパートコート１８の部分は、未シール部１５に位置しているため、パートコート１８同士もシールされていない。
【００２１】
さらにパートコート１８は、エンドシール部１４の形成部位に設けられ、パートコート１８の他方の側縁は、包装体１０の内部に至る。つまり、パートコート１８は、エンドシール部１４の外縁１４ａから内縁１４ｂまでを横断するように配置される。換言すると、エンドシール部１４のうち、パートコート１８を形成した部位は、外縁１４ａから内縁１４ｂまで連続してフィルムを引き離して開封することが容易に行える部分が存在することになる。
【００２２】
上述した構成からなる包装体１０は、非開封時は、パートコート１８を含めてエンドシール部１４並びにセンターシール部１３により密封される。そして、各シール部１４，１３には、従来の包装体のように切り込みが形成されていないので、不用意にエンドシール部１４等が切り裂かれて包装体が開封することを抑制できる。
【００２３】
また、開封開始位置は、従来あるような小さな切込みではなく、２つの切り込み線１６で挟まれた摘み部１７となり、比較的大きくすることができることから、開封する者が容易に開封位置を確認できる。さらに、その摘み部１７に開封位置の表記をすることにより、より効果的に開封位置を知らせることができる。
【００２４】
実際に、包装体を開封するには、摘み部１７を摘むとともに、その摘み部１７を包装体１０から引き離す方向に引っ張ることにより行う。すると、まず切り込み線１６の両端から包装フィルム１２が引き裂かれる。上述したように、未シール部１５に存在するフィルムは２枚に分離されているため、その未シール部１５に位置する摘み部１７は、対向するフィルム部分から容易に離反する。そして、本実施の形態では、摘み部１７に連続するエンドシール部１４は、パートコート１８によりシールされているため、そのパートコート１８による易剥離効果によって接着された２枚のフィルムが比較的容易に剥がれ、それに伴い、切り込み線１６の延長線上に沿って包装フィルム１２が引き裂かれる。さらに、本実施の形態では、エンドシール部１４と未シール部１５との境界線Ｌ１の中央Ｐが周縁側に突出するように形成されているため、さらに摘み部１７を包装体１０から引き離す方向に引っ張ると、エンドシール部１４（パートコート１８）を引き剥がそうとする力は、エンドシール部１４の尖った先端（中央Ｐ）に集中するため、パートコート１８の易剥離効果と相俟ってより小さな力で簡単かつ確実にパートコート１８を引き剥がすことができ、しかも、尖った部分から徐々に開封されるので、従来のものと比較して小さな力で簡単に包装体１０の開封を行うことができるとともに、内容物を破壊しないで開封することができる。
【００２５】
さらに、包装フィルム１２に切り裂かれやすい方向がある場合には、その方向をセンターシール部１３と平行な方向に設定する。これにより、図５に示すように、包装フィルム１２は、帯状に切り裂かれ、より簡単に開封される。
【００２６】
図６は、本発明の別の実施の形態を示している。本実施の形態では、切り込み線１６の形成位置を、包装体１０の内側にずらしている。これにより、包装体１０の周縁側に位置する切り込み線１６は、その周縁から少し内側に位置することになるため、切り込み線１６間の摘み部１７がフリー状態とならない。よって、搬送途中などにおいて、摘み部１７が引っかかって誤って開封されてしまう可能性がさらに減少する。なお、２本の切り込み線１６に挟まれた摘み部１７は、１枚のフィルムであり、摘み部１７を持って包装体１０から引き離す方向に引っ張ることで、周縁の接続された部分は簡単に切断され、摘み部１７はフリーな状態となり、以降は、上述した第１の実施の形態と同様に容易に開封することができる。
【００２７】
なお、その他の構成並びに作用効果は、上述した第１の実施の形態と同様であるため、対応する部材に同一符号を伏し、その詳細な説明を省略する。また、上述した両実施の形態では、２本の直線状の切り込み線としたが、本発明はこれに限ることはなく、各種の形状から構成できる。
【図面の簡単な説明】
【００２８】
【図１】従来例を示す図である。
【図２】従来例の問題点を説明する図である。
【図３】本発明に係る包装体の第１の実施の形態を示す図である。
【図４】開封作業を説明する図である。
【図５】開封作業を説明する図である。
【図６】本発明に係る包装体の第１の実施の形態を示す図である。
【符号の説明】
【００２９】
１０  包装体
１２  包装フィルム
１３  センターシール部
１４  エンドシール部
１５  未シール部
１６  切り込み線
１７  摘み部
１８  パートコート
【図１】
2007106488.tif 000003
【図２】
2007106488.tif 000004
【図３】
2007106488.tif 000005
【図４】
2007106488.tif 000006
【図５】
2007106488.tif 000007
【図６】
2007106488.tif 000008